(57)【要約】【課題】放射線の照射量を適切に制御するために有利な技術を提供する。【解決手段】放射線撮像システムは、放射線を電気信号に変換する変換素子を有する複数の画素がマトリクス状に配置された平面検出器と、平面検出器の複数の領域において、到達した放射線を検知する検知手段と、被検体の撮影部位を設定する設定手段と、平面検出器の面内方向の向きを検出する検出手段と、設定された撮影部位及び検出された向きに基づいて、上記複数の領域のうち、放射線の検知に使用する領域を選択する選択手段と、選択された領域で検知された放射線の線量に基づいて撮像の制御を行う制御手段とを有する。【選択図】  図１
2017127444.tif 000002
【特許請求の範囲】
【請求項１】
放射線を電気信号に変換する変換素子を有する複数の画素がマトリクス状に配置された平面検出器と、
前記平面検出器の複数の領域において、到達した放射線を検知する検知手段と、
被検体の撮影部位を設定する設定手段と、
前記平面検出器の面内方向の向きを検出する検出手段と、
前記設定された撮影部位及び前記検出された向きに基づいて、前記複数の領域のうち、放射線の検知に使用する領域を選択する選択手段と、
前記選択された領域で検知された放射線の線量に基づいて撮像の制御を行う制御手段と、
を有することを特徴とする放射線撮像システム。
【請求項２】
前記制御手段は、
放射線源からの放射線の発生を行う放射線発生装置と接続され、
前記選択された領域の前記線量の積算値が所定の閾値を超えたことに応じて、前記放射線発生装置に対して放射線の発生を停止させるように制御する
ことを特徴とする請求項１に記載の放射線撮像システム。
【請求項３】
前記検知手段は、前記選択された領域での放射線の検知を有効に設定され、それ以外の領域での放射線の検知を無効に設定されることを特徴とする請求項１又は２に記載の放射線撮像システム。
【請求項４】
前記制御手段は、前記放射線の検知が有効にされた領域から取得した電気信号に基づいて撮像の制御を行い、前記放射線の検知が無効にされた領域から取得した電気信号に基づいて撮像の制御は行わない、ことを特徴とする請求項３に記載の放射線撮像システム。
【請求項５】
前記検知手段から取得した電気信号をデジタル信号に変換するＡＤ変換器を更に有し、
前記ＡＤ変換器は、前記放射線の検知が有効にされた領域から取得した電気信号をデジタル信号に変換し、前記放射線の検知が無効にされた領域から取得した電気信号はデジタル信号に変換しない、ことを特徴とする請求項３又は４に記載の放射線撮像システム。
【請求項６】
前記検出手段は、加速度センサを含むことを特徴とする請求項１乃至５のいずれか１項に記載の放射線撮像システム。
【請求項７】
前記被検体を載置させるための寝台と、
前記寝台の所定位置に固定された磁性体と、
を更に有し、
前記検出手段は、前記磁性体に反応する磁気センサを含む
ことを特徴とする請求項１乃至３のいずれか１項に記載の放射線撮像システム。
【請求項８】
前記検知手段は、地磁気センサを含むことを特徴とする請求項１乃至３のいずれか１項に記載の放射線撮像システム。
【請求項９】
放射線を電気信号に変換する変換素子を有する複数の画素がマトリクス状に配置され、複数の領域において、到達した放射線を検知する機能を有する平面検出器と、放射線源からの放射線の発生を行う放射線発生装置と通信可能に接続された制御装置であって、
被検体の撮影部位を設定する設定手段と、
前記平面検出器の面内方向の向きの情報を前記平面検出器から取得する取得手段と、
前記設定された撮影部位と、前記取得された向きの情報とに基づいて、前記複数の領域のうち、放射線の検知に使用する領域を選択する選択手段と、
を有し、
前記選択された領域で検知された放射線の線量に基づいて前記放射線発生装置を制御する
ことを特徴とする制御装置。
【請求項１０】
放射線を電気信号に変換する変換素子を有する複数の画素がマトリクス状に配置され、複数の領域において、到達した放射線を検知する機能を有する平面検出器と、放射線源からの放射線の発生を行う放射線発生装置とに通信可能に接続された制御装置の制御方法であって、
被検体の撮影部位を設定する設定工程と、
前記平面検出器の面内方向の向きの情報を前記平面検出器から取得する取得工程と、
前記設定された撮影部位と、前記取得された向きの情報とに基づいて、前記複数の領域のうち、放射線の検知に使用する領域を選択する選択工程と、
を有し、
前記選択された領域で検知された放射線の線量に基づいて前記放射線発生装置を制御する
ことを特徴とする制御方法。
【請求項１１】
コンピュータに、請求項１０に記載の制御方法の各工程を実行させるためのプログラム。
【発明の詳細な説明】
【技術分野】
【０００１】
本発明は、放射線撮像システム、制御装置及びその制御方法、並びにプログラムに関する。
【背景技術】
【０００２】
Ｘ線等の放射線による医療画像診断や非破壊検査に用いる放射撮像装置として、ＴＦＴ（薄膜トランジスタ）等のスイッチと光電変換素子等の変換素子とを組み合わせた画素アレイを有するマトリクス基板を有する放射線撮像装置が実用化されている。近年では、放射線撮像装置は、小型化及び軽量化が進み、可搬性が向上している。このため、放射線撮像装置を設置する際にはその姿勢の自由度があり、正しい姿勢で設置されているかを検出すること等が求められる。
【０００３】
また、放射線撮像装置は、放射線の照射をモニタする機能を内蔵することが検討されている。この機能によって、例えば、放射線源からの放射線の照射が開始されたタイミングの検知、放射線の照射を停止されるべきタイミングの検知、放射線の照射量または積算照射量の検知が可能になる。
【０００４】
特許文献１には、放射線の照射をモニタする画素を有する放射線撮像装置を含む放射線撮像システムが開示されている。この放射線撮像システムは、撮影の都度、撮影台に装着された放射線撮像装置の姿勢を検出する。特許文献１においては、撮影台に設置されたマーカーを放射線撮像装置の反射型光センサが検知することで、放射線撮像装置の向きが検出される。
【先行技術文献】
【特許文献】
【０００５】
【特許文献１】特開２０１１−０６７３１４号公報
【発明の概要】
【発明が解決しようとする課題】
【０００６】
しかし、従来技術では、放射線撮像装置の姿勢の検出を行い得るが、被検体に対して放射線をモニタする領域との関係についてなんら開示されていない。この場合、被検体の部位における、適切な照射量と実際の照射量との間に差が発生し、被検体に対する放射線の照射量が過剰あるいは不足となる可能性がある。
【０００７】
本発明は、放射線の照射量を適切に制御するために有利な技術を提供する。
【課題を解決するための手段】
【０００８】
本発明の一側面によれば、放射線を電気信号に変換する変換素子を有する複数の画素がマトリクス状に配置された平面検出器と、前記平面検出器の複数の領域において、到達した放射線を検知する検知手段と、被検体の撮影部位を設定する設定手段と、前記平面検出器の面内方向の向きを検出する検出手段と、前記設定された撮影部位及び前記検出された向きに基づいて、前記複数の領域のうち、放射線の検知に使用する領域を選択する選択手段と、前記選択された領域で検知された放射線の線量に基づいて撮像の制御を行う制御手段とを有することを特徴とする放射線撮像システムが提供される。
【発明の効果】
【０００９】
本発明によれば、放射線の照射量を適切に制御するために有利な技術が提供される。
【図面の簡単な説明】
【００１０】
【図１】実施形態における放射線撮像システムの構成図。
【図２】実施形態における放射線撮像装置の外観図。
【図３】実施形態における放射線撮像装置の内部構成例を示す図。
【図４】被検体の立位撮影を行う場合のシステム構成例を示す図。
【図５】実施形態における制御装置の動作手順を示すフローチャート。
【図６】被検体の臥位撮影を行う場合のシステム構成例を示す図。
【図７】放射線撮像装置の向きを取得する構成の変形例を示す図。
【発明を実施するための形態】
【００１１】
以下、図面を参照して本発明の実施形態について詳細に説明する。なお、本発明は以下の実施形態に限定されるものではなく、本発明の実施に有利な具体例を示すにすぎない。また、以下の実施形態の中で説明されている特徴の組み合わせの全てが本発明の課題解決のために必須のものであるとは限らない。
【００１２】
図１は、実施形態における放射線撮像システム１００の構成を示す図である。放射線撮像システム１００は、例えば病院内での放射線画像の撮影に使用されうる。放射線撮像システム１００は、放射線撮像装置１０１、制御装置１０２、放射線源１０３、放射線発生装置１０４、院内ＬＡＮ１０５、照射スイッチ１０６を含む。
【００１３】
放射線撮像装置１０１は、患者または被検者である被検体Ｓを透過した放射線（例えばＸ線）を検出し画像を形成する。制御装置１０２は、放射線撮像装置１０１と放射線発生装置１０４と通信可能に接続されている。制御装置１０２は、放射線撮像装置１０１に対して、例えば撮影条件の設定、動作制御などを行うことができる。放射線撮像装置１０１は、制御装置１０２に対して、例えば画像転送、到達線量の送信、自動露出制御信号の送信などを行うことができる。本実施形態において、制御装置１０２は、撮影条件の設定、動作制御、画像情報などの情報の入力を可能とする入力デバイスとして、例えばマウスやキーボードを有し、また、出力デバイスとしてディスプレイなどを有する。また、制御装置１０２は、放射線源１０３からの放射線の発生を行う放射線発生装置１０４に対して、放射線の照射制御なども行う。
【００１４】
放射線源１０３は、例えば放射線を発生させるために電子を高電圧で加速し、陽極に衝突させるＸ線管とロータを有する。照射スイッチ１０６は、操作者がオン操作することにより制御装置１０２に対して放射線の曝射を要求する。
【００１５】
制御装置１０２は、通信を制御する通信制御部１０２１と、動作制御、線量制御などを行う制御部１０２２を含む。通信制御部１０２１は、制御装置１０２とは別のユニットとして構成されていてもよい。制御部１０２２は、放射線撮像装置１０１と放射線発生装置１０４の状態を監視し、放射線の照射、撮影を制御する。放射線源１０３から照射された放射線は被検体に照射されると、放射線撮像装置１０１は、その被検体を透過した放射線を検出し画像を形成する。
【００１６】
放射線撮像装置１０１は、不図示の無線通信部および有線通信部を含み、制御装置１０２の通信制御部１０２１と通信可能である。有線通信部は、公知の通信規格に従うケーブル接続により、情報のやり取りを可能にする。また、無線通信部は、例えば通信用ＩＣなどを備える回路基板からなる。不図示のアンテナと電気的に接続され、アンテナは無線電波を送受信する。通信用ＩＣなどを備える回路基板はアンテナを介して無線ＬＡＮに基づいたプロトコルの通信処理を行う。なお、無線通信における無線通信の周波数帯、規格や方式には特に限定はなく、公知の近接無線やＵＷＢなどの方式を使用してもよい。また、無線通信部は複数の無線通信の方式を有し、適宜選択して通信を行ってもよい。
【００１７】
制御装置１０２と放射線撮像装置１０１との間では、撮影条件の設定、動作制御、画像転送、到達線量、自動露出制御信号などがやりとりされる。また、制御装置１０２と放射線発生装置１０４との間では、線量情報、照射制御信号などがやりとりされる。ここで、線量情報とは、放射線源１０３から照射される放射線の線量をいう。到達線量とは、放射線源１０３から照射された放射線のうち、放射線撮像装置１０１へ到達した線量をいう。
【００１８】
放射線撮像装置１０１は、例えば、可搬式のカセッテ式の平面検出器（フラットパネルディテクタ）である。図２に実施形態における放射線撮像装置１０１の外観図を示す。放射線撮像装置１０１は、電源投入および遮断のための電源ボタン１０７、電源供給のためのバッテリ部１０８、コネクタ１０９を有する。バッテリ部１０８は取り外し可能であり、バッテリ本体はバッテリ充電器によって充電されうる。放射線撮像装置１０１は、ケーブル１１０を介して制御装置１０２と接続される。このとき、ケーブル１１０の一端はコネクタ１０９を介して放射線撮像装置１０１と接続される。ケーブル１０１０を介して放射線撮像装置１０１と制御装置１０２とが接続されると自動で有線通信に切り替わり、あるいはユーザ操作によって有線通信に切り替わり、両者の間で情報のやり取りが有線通信によって行われる。このように本実施形態では、放射線撮像装置１０１と制御装置１０２とは別個の構成とされているが、放射線撮像装置１０１が制御装置１０２の機能を有する制御部を含んだ一体的な構成としてもよい。そのような制御部は例えばＡＳＩＣ等で構成されうる。
【００１９】
図３には、本実施形態における放射線撮像装置１０１の内部構成例が示されている。放射線撮像装置１０１は、撮像領域３００に、複数の行および複数の列を構成するようにマトリクス状に配置された複数の画素を有する。これら複数の画素は、放射線画像の取得のための複数の撮像画素１１１と、放射線の検知のための検知画素１２１とを含む。撮像画素１１１は、放射線を電気信号に変換する第１変換素子１１２と、列信号線１１６と第１変換素子１１２との間に配置された第１スイッチ１１３とを含む。検知画素１２１は、放射線を電気信号に変換する第２変換素子１２２と、検知信号線１２５と第２変換素子１２２との間に配置された第２スイッチ１２３とを含む。
【００２０】
第１変換素子１１２および第２変換素子１２２は、放射線を光に変換するシンチレータおよび光を電気信号に変換する光電変換素子とで構成される。シンチレータは、一般的には、撮像領域３００を覆うようにシート状に形成され、複数の画素によって共有されうる。あるいは、第１変換素子１１２および第２変換素子１２２は、放射線を直接光に変換する変換素子で構成されうる。第１スイッチ１１３および第２スイッチ１２３は、例えば、非晶質シリコンまたは多結晶シリコン（好ましくは多結晶シリコン）などの半導体で活性領域が構成された薄膜トランジスタ（ＴＦＴ）を含みうる。
【００２１】
放射線撮像装置１０１は、複数の列信号線１１６および複数の駆動線１１４を有する。複数の列信号線１１６はそれぞれ、撮像領域３００における複数の列のうちの１つに対応する。複数の駆動線１１４はそれぞれ、撮像領域３００における複数の行のうちの１つに対応する。複数の駆動線１１４はそれぞれ、行選択部２２１によって駆動される。
【００２２】
第１変換素子１１２の第１電極は、第１スイッチ１１３の第１主電極に接続され、第１変換素子１１２の第２電極は、バイアス線１１８に接続される。ここで、１つのバイアス線１１８は、列方向に延びていて、列方向に配列された複数の第１変換素子１１２の第２電極に共通に接続される。バイアス線１１８は、電源回路２２６からバイアス電圧Ｖｓを受ける。１つの列を構成する複数の撮像画素１１１の第１スイッチ１１３の第２主電極は、１つの列信号線１１６に接続される。１つの行を構成する複数の撮像画素１１１の第１スイッチ１１３の制御電極は、複数の駆動線１１４のうちの１つに接続される。
【００２３】
複数の列信号線１１６は、読出し用回路２２２に接続される。ここで、読出し用回路２２２は、複数の検知部１３２と、マルチプレクサ１３４と、ＡＤ変換器１３６とを含みうる。複数の列信号線１１６のそれぞれは、読出し用回路２２２の複数の検知部１３２のうち対応する検知部に接続される。ここで、１つの列信号線１１６は、１つの検知部１３２に対応する。検知部１３２は、例えば、差動増幅器を含む。マルチプレクサ１３４は、複数の検知部１３２を所定の順番で選択し、選択した検知部１３２からの信号をＡＤ変換器１３６に供給する。ＡＤ変換器１３６は、供給された信号をデジタル信号に変換して出力する。
【００２４】
第２変換素子１２２の第１電極は、第２スイッチ１２３の第１主電極に接続され、第２変換素子１２２の第２電極は、バイアス線１１８に接続される。第２スイッチ１２３の第２主電極は、検知信号線１２５に電気的に接続される。第２スイッチ１２３の制御電極は、駆動線１２４に電気的に接続される。放射線撮像装置１０１は、複数の検知信号線１２５を有しうる。１つの検知信号線１２５には、１つ以上の検知画素１２１が接続されうる。駆動線１２４は、駆動用回路２４１によって駆動される。１つの駆動線１２４には、１つ以上の検知画素１２１が接続されうる。
【００２５】
検知信号線１２５は、読出し用回路２４２に接続される。ここで、読出し用回路２４２は、複数の検知部１４２と、マルチプレクサ１４４と、ＡＤ変換器１４６とを含みうる。複数の検知信号線１２５のそれぞれは、読出し用回路２４２の複数の検知部１４２のうち対応する検知部に接続されうる。ここで、１つの検知信号線１２５は、１つの検知部１４２に対応する。検知部１４２は、例えば、差動増幅器を含む。マルチプレクサ１４４は、複数の検知部１４２を所定の順番で選択し、選択した検知部１４２からの信号をＡＤ変換器１４６に供給する。ＡＤ変換器１４６は、供給された信号をデジタル信号に変換して出力する。
【００２６】
読出し用回路２４２（ＡＤ変換器１４６）の出力は、信号処理部２２４に供給され、信号処理部２２４によって処理される。信号処理部２２４は、読出し用回路２４２（ＡＤ変換器１４６）の出力に基づいて、放射線撮像装置１０１に対する放射線の照射を示す情報を出力する。具体的には、信号処理部２２４は、例えば、放射線撮像装置１０１に対する放射線の照射を検知したり、放射線の照射量および積算照射量の少なくともいずれかを演算したりする。制御用回路２２５は、信号処理部２２４からの情報に基づいて、駆動用回路２２１、駆動用回路２４１および読出し用回路２４２を制御する。制御用回路２２５は、信号処理部２２４からの情報に基づいて、例えば、露出（撮像画素１１１による照射された放射線に対応する電荷の蓄積）の開始および終了を制御する。通信部２２７は、制御装置１０２との通信を担う。ここで通信部２２７は、有線通信部と無線通信部の２つの通信部を持つ。
【００２７】
上記したように、本実施形態における放射線撮像装置１０１は可搬型であり、その姿勢の自由度が高いことから、例えば、図１に示したような被検体の臥位撮影にも対応できるし、立位撮影にも対応できる。以下ではまず、被検体の立位撮影を行う場合について説明する。
【００２８】
被検体の立位撮影を行う場合には、放射線撮像装置１０１は立てて設置されることになる。図４は、被検体の立位撮影を行う場合のシステム構成例を示している。ここで、放射線撮像装置１０１は、面内方向の２つの向きで設置することが可能になっている。１つは、矩形状に構成された放射線撮像装置１０１の辺１０１ａが被検体側からみて左辺となる状態を示す方向Ａである。もう１つは、方向Ａの状態から反時計回りに９０°回転させた状態、すなわち、辺１０１ａが被検体側からみて底辺となる状態を示す方向Ｂである。また、放射線撮像装置１０１は、それぞれが検知画素１２１で構成され到達した放射線を検知するための、複数の領域（検知エリア）を有する。検知エリアの数や配置に限定はないが、複数の検知エリアはそれぞれ、想定される撮影部位ごとに対応しているとよい。ここでは、説明を簡単にするため、次のように５つの検知エリアが設定されているとする。５つの検知エリアは、方向Ａの状態で放射線源１０３側からみて、左上に位置する検知エリア１、右上に位置する検知エリア２、中央に位置する検知エリア３、左下に位置する検知エリア４、右下に位置する検知エリア５からなる。
【００２９】
それぞれの検知エリアで到達線量が検知される。制御装置１０２は、それぞれの検知エリアで検知された到達線量に基づいて、放射線源１０３から余分な照射が行われないように、放射線発生装置１０４を制御しうる。しかし、最適な到達線量は被検体Ｓの撮影部位によって異なる。また、放射線撮像装置１０１の向きが方向Ａか方向Ｂかによって、各検知エリアの位置が変わってしまう。そこで本実施形態の放射線撮像装置１０１は、放射線撮像装置１０１の面内方向の向きを認識することにより各検知エリアの位置を識別し、撮影部位に応じて照射量の検知に使用する検知エリアを設定することができる。かかる機能がないと、撮影部位とは無関係な検知エリアで検知された照射量を用いて照射量を制御することになり、放射線源１０３から余分な照射が行われる場合や、放射線の線量が不足したりする場合があり得る。
【００３０】
図４に示されるように、被検体Ｓの撮影の位置に合わせるために架台５０４に放射線撮像装置１０１が固定されており、放射線撮像装置１０１は上記した５つの検知エリアを有する照射量検知部５０１を備える。また、放射線撮像装置１０１は、放射線撮像装置１０１の面内方向の向きを検知する方向検知部５０３を含む。方向検知部５０３は例えば、方向Ａの状態で重力方向の加速度を検出する１軸型の加速度センサである。この場合、方向Ａの状態では加速度センサの出力は大きく、方向Ｂの状態では加速度センサの出力は小さい。したがって、加速度センサの出力によって放射線撮像装置１０１の面内方向の向きを検出可能である。もっとも、このような向きを検出するものは加速度センサには限られない。放射線撮像装置１０１は、方向検知部５０３で検知した向きの情報を制御装置１０２に出力し、制御装置１０２から、使用する検知エリアの情報（各検知エリアの有効／無効の指定情報）を受信する。放射線撮像装置１０１は、受信した検知エリアの情報に基づき、各検知エリアの有効／無効を設定する。また、放射線１０１は、有効とした検知エリアにおける到達線量の情報を制御装置１０２に出力する。
【００３１】
図５は本実施形態における制御装置１０２の動作手順を示すフローチャートである。はじめに、撮影のために被検体Ｓと架台５０４との位置合わせが行われた後、制御装置１０２は、被検体の撮影部位５０６の設定を行う（Ｓ２）。次に、制御装置１０２は、架台５０４に搭載された放射線撮像装置１０１の向きを判別するため、方向検知部５０３から放射線撮像装置１０１の向きの情報（向き情報）を取得（受信）する（Ｓ４）。その後、制御装置１０２は、設定された撮影部位５０６及び取得した向き情報に基づき、使用する検知エリアを選択する（Ｓ６）。例えば、取得した向き情報が方向Ａを示す場合、制御装置１０２は、撮影部位５０６（例えば、胸部）に対応する領域として、検知エリア１，２を選択する。取得した向き情報が方向Ｂを示す場合は、制御装置１０２は、撮影部位５０６に対応する領域として、検知エリア２，５を選択する。制御装置１０２は、検知エリアの選択情報を放射線撮像装置１０１に送信する（Ｓ８）。
【００３２】
放射線撮像装置１０１は、制御装置１０２から受信した選択情報に基づき検知エリアの設定を行う。具体的には、放射線撮像装置１０１は、選択された検知エリアでの放射線の検知を有効に設定し、選択された領域以外の検知エリアでの放射線の検知を無効に設定する。例えば、選択情報が検知エリア１，２を示す場合、放射線撮像装置１０１は、検知エリア１，２における検知画素１２１の電荷の蓄積を有効に設定し、それ以外の検知エリアにおける検知画素１２１の電荷の蓄積を無効に設定する。選択情報が検知エリア２，５を示す場合は、放射線撮像装置１０１は、検知エリア２，５における検知画素１２１の電荷の蓄積を有効に設定し、それ以外の検知エリアにおける検知画素１２１の電荷の蓄積を無効に設定する。また、放射線撮像装置１０１は、検知エリア１，２以外の検知エリアにおける検知画素１２１を駆動用回路２４１で駆動しないように制御してもよい。また、放射線撮像装置１０１は、検知エリア１，２以外の検知エリアにおける検知画素１２１からの信号については、読出し用回路２４２のＡＤ変換器１４６でデジタル変換しないように制御してもよい。また、放射線撮像装置１０１は、検知エリア１，２以外の検知エリアにおける検知画素１２１からの信号については、読出し用回路２４２のＡＤ変換器１４６でデジタル変換しないように制御してもよい。また、放射線撮像装置１０１は、検知エリア１，２以外の検知エリアにおける検知画素１２１からの信号については、信号処理部２２４による処理を行わないように制御してもよい。このように、種々の選択された領域以外の検知エリアでの放射線の検知を無効に設定する方法により、到達線量の積算および曝射停止要求を高速に行うことができる。
【００３３】
制御装置１０２は、操作者により照射スイッチ１０６が押下されたことに応答して、放射線発生装置１０４に照射制御信号（曝射要求）を送信する。これにより放射線発生装置１０４が放射線源１０３から放射線を照射させ、撮影が開始される（Ｓ１０）。撮影中、制御装置１０２は、有効に設定された各検知エリアから到達線量の情報を取得し、各エリアの到達線量を積算する（Ｓ１２）。そして、制御装置１０２は、例えば各エリアの積算値が所定の閾値を超えたことに応答して、放射線発生装置１０４に対して曝射停止要求を発行し、放射線源１０３からの放射線の発生を停止させる（Ｓ１４）。
【００３４】
以上の処理により、被検体Ｓの撮影部位５０６に応じた検知エリアのみでの到達線量がモニタされ、適切なタイミングで放射線照射の停止を行うことができる。これにより、余分な照射を行わないようにすることができる。
【００３５】
なお、上述の例では、放射線撮像装置１０１は、制御装置１０２から受信した選択情報に基づき検知エリアの設定を行う構成としたが、これに限られない。例えば、放射線撮像装置１０１では常に全ての検知エリアを有効にしておき、全エリアの到達線量が制御装置１０２に送信されるようにしておく。そして、制御装置１０２において、選択した検知エリアの到達線量の情報だけを抽出して積算値のモニタを行うようにしてもよい。
【００３６】
次に、被検体の臥位撮影を行う場合について説明する。図６は、被検体の臥位撮影を行う場合のシステム構成例を示している。第１実施形態と同じ構成要素には同じ参照符号を付している。ここで、放射線撮像装置１０１は、２つの方向で設置することが可能である。１つは、矩形状に構成された放射線撮像装置１０１の辺１０１ａが被検体側からみて（すなわち上からみて）左辺となる状態を示す方向Ａである。もう１つは、方向Ａの状態から反時計回りに９０°回転させた状態、すなわち、辺１０１ａが被検体側からみて底辺となる状態を示す方向Ｂである。また、放射線撮像装置１０１は、第１実施形態と同様の、複数の検知エリアからなる照射量検知部５０１を有する。
【００３７】
図６において、放射線撮像装置１０１は、被検体Ｓを載置する寝台７０３に固定されている。放射線撮像装置１０１は寝台７０３に対して水平方向に移動可能であり、これにより位置合わせが可能である。寝台７０３の所定位置には磁性体７０１が固定されている。磁性体７０１は例えば磁石であるが、これに限らない。放射線撮像装置１０１は、磁性体７０１に反応する磁気センサＡ，Ｂ，Ｃ，Ｄを含む磁気検知部７０２を備える。磁気センサＡ，Ｂ，Ｃ，Ｄは例えば、磁性体７０１に近づくほど高い電圧を出力する近接センサでありうるが、これに限られない。また、磁気センサの数は特定の個数に限られない。
【００３８】
放射線撮像装置１０１は、磁気センサの出力電圧に基づき、放射線撮像装置１０１の向きを検知する。例えば、磁気センサＣの出力電圧が最も高い場合、放射線撮像装置１０１は、放射線撮像装置１０１の向きを方向Ａであると判定する。磁気センサＡの出力電圧が最も高い場合、放射線撮像装置１０１は、放射線撮像装置１０１の向きを方向Ｂであると判定する。放射線撮像装置１０１は、検知した放射線撮像装置１０１の向きの情報（向き情報）を、制御装置１０２に出力する。
【００３９】
制御装置１０２は、第１実施形態と同様の手順で放射線の照射及び停止を制御することができる。
【００４０】
図７に図６の変形例を示す。第１及び第２実施形態と同じ構成要素には同じ参照符号を付している。図７において、被検体Ｓを載置する寝台９０３に放射線撮像装置１０１が固定されている。放射線撮像装置１０１は寝台９０３に対して水平方向に移動可能であり、これにより位置合わせが可能である。放射線撮像装置１０１は、放射線の到達線量を検知する照射量検知部５０１を備える。また、放射線撮像装置１０１は、地磁気９０１の地磁気方向に対する方向θを検知する地磁気検知部９０２を備える。地磁気検知部９０２は地磁気センサでありうるが、これに限られない。放射線撮像装置１０１は、地磁気検知部９０２により、放射線撮像装置１０１の地磁気９０１の方向に対する向きを検知し、この向きの情報を制御装置１０２に出力する。
【００４１】
制御装置１０２は、受信した向き情報から事前に設定された撮影部位５０６に近い検知エリアを選択する。例えば放射線撮像装置１０１の向きが方向Ａの場合、放射線撮像装置１０１が地磁気検知部９０２により地磁気方向に対して検知した角度はθ１となる。このとき、制御装置１０２は、撮影部位５０６に近い検知エリア１，２を選択する。放射線撮像装置１０１の向きが方向Ｂの場合は、放射線撮像装置１０１が地磁気検知部９０２により地磁気方向に対して検知した角度はθ２となる。このとき、制御装置１０２は、撮影部位５０６に近い検知エリア２，５を選択する。
【００４２】
（他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４３】
１００：放射線撮像システム、１０１：放射線撮像装置、１０２：制御装置、１０３：放射線源、１０４：放射線発生装置、１０５：院内ＬＡＮ、１０６：照射スイッチ
【図１】
2017127444.tif 000003
【図２】
2017127444.tif 000004
【図３】
2017127444.tif 000005
【図４】
2017127444.tif 000006
【図５】
2017127444.tif 000007
【図６】
2017127444.tif 000008
【図７】
2017127444.tif 000009